(57)【要約】【課題】  より小径の間伐材の利用を促進し、自然環境保全を意識した中でより強度、耐久性に優れた壁構造体を提供すること。【解決手段】  断面が長手方向に対してほぼ同一形状の柱状材を複数本順次連結してなる。柱状材３は長手方向に沿って形成された接続溝と、この接続溝に対向する第一角部と、柱状材を連結させる連結部材１３を貫通させる貫通孔１１とを備える。接続溝と第一角部との中間部の少なくとも一側に突出する第二角部を設ける。この第二角部は他の単層パネルにおける第二角部間の溝に嵌合可能であり、第二角部の先端に小さな面が形成される。【選択図】    図１０
2006328940.tif 000002
【特許請求の範囲】
【請求項１】
断面が長手方向に対してほぼ同一形状の柱状材を複数本順次連結してなる単層パネルであって、
前記柱状材は長手方向に沿って形成された接続溝と、この接続溝に対向する第一角部と、前記柱状材を連結させる連結部材を貫通させる貫通孔とを備え、前記接続溝と前記第一角部との中間部の少なくとも一側に突出する第二角部を設け、この第二角部は他の単層パネルにおける第二角部間の溝に嵌合可能であり、第二角部の先端に小さな面が形成されることを特徴とする単層パネル。
【請求項２】
両端に位置する柱状材は前記連結部材を介して連結された柱状材を締め付け固定する固定具を挿入する凹部をさらに備えることを特徴とする請求項１に記載の単層パネル。
【請求項３】
両端に位置する柱状材の少なくとも一方は調整材であり、前記調整材は前記柱状材を長手方向に沿って二分されてなることを特徴とする請求項２に記載の単層パネル。
【請求項４】
前記連結部材の一方の端部は、端部に位置する前記柱状材より突出すると共に、その突出部が基礎部へ埋め込まれる埋め込み部を形成することを特徴とする請求項１〜３のいずれかに記載の単層パネル。
【請求項５】
両端に位置する柱状材は、連結される他の柱状材の一方の端部より突出すると共に、その突出部が基礎部へ埋め込まれる埋め込み部を形成することを特徴とする請求項１〜３のいずれかに記載の単層パネル。
【請求項６】
請求項１〜５のいずれかに記載の単層パネルを複数用いた多層壁構造体であって、
前記単層パネルの前記柱状材の第二角部を他の単層パネルにおける前記柱状材の第二角部間の溝に互いに嵌合させてなることを特徴とする多層壁構造体。
【請求項７】
前記単層パネルの端部に位置する柱状材の少なくとも一方を対向する単層パネルにおける柱状材の連結方向の端部に対して１ピッチ以上ずらして互いに嵌合させると共に、前記複数の単層パネルを水平及び／又は垂直方向に順次配置することを特徴とする請求項６に記載の多層壁構造体。
【請求項８】
前記単層パネルの柱状材の長手方向の少なくとも一端を対向する単層パネルにおける柱状材の長手方向の一端に対しずらして互いに嵌合させると共に、前記複数の単層パネルを水平及び／又は垂直方向に順次配置することを特徴とする請求項６又は７に記載の多層壁構造体。
【請求項９】
前記多層壁構造体の壁面は前記柱状材の平坦面より略平面に形成されることを特徴とする請求項６〜８のいずれかに記載の多層壁構造体。
【請求項１０】
塀、柵、土止、防音壁、防風壁、砂防壁、護岸壁又は分水壁のいずれかであることを特徴とする請求項６〜９のいずれかに記載の多層壁構造体。
【発明の詳細な説明】
【技術分野】
【０００１】
本発明は単層パネル及びこれを用いた多層壁構造体に関するものである。さらに詳しくは、断面が長さ方向に対しほぼ同一形状を成し、複数本を順次連結して壁体、パネル等を作成しこれを更には組み合わせて成る多層壁構造体に関する。
【背景技術】
【０００２】
従来、建築用柱状材を複数組み合わせて成る壁体構造体としては特許文献１に記載のものが知られている。特許文献１に記載の技術にあっては建築用柱状材を組み合わせ連結しこれを縦及び横方向に組み合わせて陸上に敷設し壁、柵等の構造物を構成又はこれら構造体を護岸壁としている。
【特許文献１】特開２００２−３６４０９８号
【０００３】
しかし、上記の構造体の構成は柱状材を縦、横使いとしながらも単層構造であるが為、また構造体の厚み方向に於いて柱状材のつなぎ部分と本体部分に大きな差異が生じる。また、使用場所が野外でありその環境は風雨、腐食等の自然の影響を受け易く建築用柱状材の腐食、材の痩せ等により隙間の発生が生じると防音、遮音効果の低下、又は水漏れ防止効果の低下を招き塀、柵、壁等の機能の低下が懸念される事から更に構造体の耐久性の向上が望まれる。
【０００４】
また、特許文献１には柱状材を対向させて組み合わせる二層構造に関する記述があるが、これにおける合理的な構造及び施工上の開示は成されていない。
【発明の開示】
【発明が解決しようとする課題】
【０００５】
かかる従来の実情に鑑みて、本発明の目的は、より小径の間伐材の利用を促進し、自然環境保全を意識した中でより強度、耐久性に優れた壁構造体を提供することにある。
【課題を解決するための手段】
【０００６】
上記目的を達成するため、本発明に係る単層パネルの特徴は、断面が長手方向に対してほぼ同一形状の柱状材を複数本順次連結してなる単層パネルにおいて、前記柱状材は長手方向に沿って形成された接続溝と、この接続溝に対向する第一角部と、前記柱状材を連結させる連結部材を貫通させる貫通孔とを備え、前記接続溝と前記第一角部との中間部の少なくとも一側に突出する第二角部を設け、この第二角部は他の単層パネルにおける第二角部間の溝に嵌合可能であり、第二角部の先端に小さな面が形成されることにある。
【０００７】
また、両端に位置する柱状材は前記連結部材を介して連結された柱状材を締め付け固定する固定具を挿入する凹部をさらに備えることが望ましい。また、両端に位置する柱状材の少なくとも一方は調整材であり、前記調整材は前記柱状材を長手方向に沿って二分して形成しても構わない。
【０００８】
さらに、前記連結部材の一方の端部は、端部に位置する前記柱状材より突出すると共に、その突出部が基礎部へ埋め込まれる埋め込み部を形成してもよい。
【０００９】
また、両端に位置する柱状材は、連結される他の柱状材の一方の端部より突出すると共に、その突出部が基礎部へ埋め込まれる埋め込み部を形成してもよい。
【００１０】
一方、上記目的を達成するため、本発明に係る多層壁構造体の特徴は、上記のいずれかに記載の単層パネルを複数用いた多層壁構造体において、前記単層パネルの前記柱状材の第二角部を他の単層パネルにおける前記柱状材の第二角部間の溝に互いに嵌合させてなることにある。
【００１１】
柱状材において腐食、材の痩せ等により発生する隙間は、柱状材の連結部分に発生しやすい。上記特徴により、対向する単層パネルを互いに嵌合させることで、柱状材の連結部分に隙間が生じたとしても、互いの第二角部により隙間が対向する単層パネルに生じる隙間と連通することはなく、耐久性、防音遮音効果、水漏れ防止効果を維持することができると共に、より強固な多層壁構造体を形成することができる。
【００１２】
また、前記単層パネルの端部に位置する柱状材の少なくとも一方を対向する単層パネルにおける柱状材の連結方向の端部に対して１ピッチ以上ずらして互いに嵌合させると共に、前記複数の単層パネルを水平及び／又は垂直方向に順次配置することが望ましい。
【００１３】
上記特徴により、単層パネルの連結方向の端部と対向する単層パネルにおける柱状材の連結方向の端部とが一致しないので、柱状材の連結方向に連続する単層パネル間の接触部分に隙間が生じたとしても、多層壁構造体においてその隙間が互いに連通することはなく、耐久性等をより向上させることができる。さらに、柱状材の連結方向に連続する２枚の単層パネルは対向する１枚の単層パネルと嵌合することとなり、柱状材の連結方向に連続する単層パネルを対向する単層パネルで連結することができる。ここで、「１ピッチ」とは、単層パネルに連結させる１本の柱状材の厚みをいう。
【００１４】
なお、単層パネルの端部に位置する柱状材の少なくとも一方を対向する単層パネルのほぼ中央に位置するようにして嵌合させることが望ましい。対向する単層パネルのほぼ中央までずらすことで、連結方向において連続する単層パネルを対向する単層パネルにより、より強固に連結することできる。さらに、仮に腐食、材の痩せ等により発生する隙間が生じ、単層パネルにズレが生じたとしても、単層パネルの端部の柱状材が、対向する単層パネルの端部と一致することはない。
【００１５】
また、前記単層パネルの柱状材の長手方向の少なくとも一端を対向する単層パネルにおける柱状材の長手方向の一端に対しずらして互いに嵌合させると共に、前記複数の単層パネルを水平及び／又は垂直方向に順次配置してもよい。
【００１６】
上記特徴により、単層パネルの柱状材の長手方向の端部と対向する単層パネルにおける柱状材の長手方向の端部とが一致しないので、長手方向に連続する単層パネル間の接触部分に生じる隙間が多層壁構造体において連通することがなく、より耐久性等をより向上させることができる。
【００１７】
また、前記多層壁構造体の壁面は前記柱状材の平坦面より略平面に形成される。上記の多層壁構造体は、例えば、塀、柵、土止、防音壁、防風壁、砂防壁、護岸壁又は分水壁として実施される。
【発明の効果】
【００１８】
この様に、上記本発明に係る単層パネル及び多層壁構造体の特徴によれば、従来の単層壁構造では自然環境下での木材の痩せ等による隙間の発生、構造体の規模に対する不安を解消した構造の構築を実現すると共に、更に小径木の活用範囲を広げ、大量に用途の無いままに森林に放置される小径木の活用を促進し、森林経済の活性化を促し、森林保全に貢献すると共に、小径木を環境保全資材として活用する事で、自然との共生を推進する為の多層壁構造体及び工法を提供するに至った。
【００１９】
なお、特許請求の範囲の項に記した符号は、あくまでも図面との対照を便利にするためのものにすぎず、該記入により本発明は添付図面の構成に限定されるものではない。
【発明を実施するための最良の形態】
【００２０】
次に、適宜添付図面を参照しながら、本発明をさらに詳しく説明する。
図１に示すように、本発明で使用する材で最も重要な要素は、有芯の材で有ることである。本来木材は自然の中で成育し、自然の中、野外で使用する本発明の実施に、最も適した木材特有の繊維構造を有しているからである。其の構造は材のほぼ中央に最も硬く耐久性のある芯を有し、外周に至るに従い柔軟性の有る部分と成る。従って本発明を実施する上で、有芯の材を使用するには、小径木材が最も適した材といえる。
図２〜５に示す本発明で使用する柱状材３，４の基材は、小径丸太を正角材に製材加工を施した物を使用する。本形態は有芯材特有のねじれ、反り返りの影響を受けにくい、又抑制し易い形態を形成する為に、対向する角と角を組み合わせ連結する形態とした。
【００２１】
柱状材３を得るには、正角材の角Ａ，Ｂ，Ｃ，Ｄの４点のうち、対向する角Ｂ−Ｃの線上Ｃ側に、一方の第一角部Ｂを組み込む為の接続溝Ｅを正角材の長さ方向に沿って設ける。更に第一角部Ｂに小さな面Ｆを設け、続いて第二角部Ａにも小さな面Ｇを設ける。この小さな面Ｆ，Ｇは柱状材３，４の加工精度、構造体の構築精度にクリアランスを持たせる機能を有する重要な部分と成る。更に残る角の面Ｈは柱状材３，４を組み合わせて構造体とした時、外面となる化粧面であると共に、接合部の段差を決める為の物であり、凹凸の少ない滑らかな外面を得るために、対角線Ｂ−Ｃに平行な大きめの面と成る。続いて柱状材４の加工方法を述べる。柱状材４は本発明の多層壁構造体の（３層以上）の芯材として主に使用することから、柱状材３の小さな面Ｈを形成した角Ｄを対向する第一角部Ａの小さな面Ｇと同じ面加工Ｇを施し第二角部Ｄを形成する。
【００２２】
更に柱状材３，４に施した小さな面Ｆ，Ｇの機能について詳しく述べる。この小さな面Ｆ，Ｇが施されていない場合、組み合わせを行う時に、対向する面の加工精度、木材の含水状態の変化により、其の角度に変化が生じると、正常な接続に支障が生じる事から、一般的に加工精度を上げる為に刃型の設置、乾燥設備の充実、加工後の湿度管理等を要すると共に、更には材料に於いても硬くて変形し難い芯部に近い部分を多く使う為の大径材が必要となり多くの負担が生じることになる。本案に使用する柱状材３，４の小さな面Ｆ，Ｇの存在で相対する面に変形が生じたとしても接当部が２点であり又木材の柔軟性の有る外周面で成る事から、接当部はなじみ易く接続は容易なものと成る。更に施工現場は、野外で有り、施工環境は悪く、接続部に土砂等の異物の付着が生じても、小さな面による空洞が受け入れる事から、完全に除去する事もなく施工が可能と成る。更にこの空洞が構造体内部に雨水の侵入が生じても乾燥を速め腐食の進行を抑える効果が有る。前述の二種類の柱状材３，４を並べ、若しくは積み重ね対向させて組み合わせ連結用長尺金物１３を使用して固定する為の長尺金物連結孔１１を図４、５に示す。この場合使用する柱状材３，４、連結用長尺金物１３の大きさを勘案し、適宜孔１１の大きさ、位置、数量を設定し接続溝Ｅの中心から小さな面Ｆの中心に向けて貫通孔１１を設けた二種類の柱状材３，４を基に本発明の多層壁構造体の製造方法、施工方法を後述する。
【００２３】
本発明を実施する上で柱状材３、４を対向させ組み合わせた場合、一方の端に柱状材の厚みの１／２の段差が生じる。これを解消する為の調整材を図６〜９により説明をする。
【００２４】
調整材６は、図６に示すように、柱状材３の断面で小さな面Ｆと接続溝Ｅとの間を柱状材の長さ方向に沿って二分し、小さな面Ｆ側の切断面の長尺金物貫通孔１１に座金ナット穴１２を重ねて加工を施し、これを調整材５とする。続いて、図７に示すように残る一方の分割された柱状材の連結溝Ｅ側の、長尺金物貫通孔１１に座金ナット穴を重ね、加工しこれを調整材６とする。
【００２５】
次に図８に示す柱状材４の断面の小さな面Ｆと連結溝Ｅの間を柱状材の長さ方向に沿って二分し、其の一方の小さな面Ｆ側の切断面に長尺金物貫通孔１１に重ねて座金ナット穴１２を加工し、これを調整材７とする。更に図９に示すように、残る一方の分割された柱状材の連結溝Ｅ側より長尺金物貫通孔１１に座金ナット穴１２を重ねて加工を施しこれを調整材８とする。
【００２６】
次に、単層パネルについて説明する。本発明における多層壁構造体は、野外に於いて設置、施工を行うのであるが一般的に作業環境は地形、天候等の条件下に於いて、運搬、材料の保管場所、等の問題を含め良いとは云えない。こうした施工現場に多種の単材を搬入し施工するのは、多くの労力と工期を要する事になる、本案はこうした問題を解消すべく、予め工場などの環境の整った中で、各部材をブロック化（パネル化）し現場へ搬入する事で作業効率を高め、効率的に施工を行える方法を講じるために先に述べた柱状材３，４、調整材５〜８を連結用長尺金物１３と座金ナット１４を使いパネル化を行う事とした。以下図面を用いて単層パネル個々の説明をする。
【００２７】
［単層パネル（３０）］
図１０に示すように、柱状材３を並べ連結用長尺金物１３を貫通させ座金ナット１４を用いて組み合わせ連結固定をする。この場合パネルの両端に位置する柱状材３に座金ナット穴１２を設け長尺金物１３、座金ナット１４がパネルより飛び出さないように組み込む。なお、図では柱状材３を７本使用しているがこれは説明の為のものであり実際にはパネル、柱状材３の大きさにより適宜決める。
【００２８】
［単層パネル３１］
図１１に示すように、単層パネル３１は前記単層パネル３０と異なる部分は多層壁横型構造体用として、長尺金物をパネルの下側（柱状材の組込み溝側）に基礎部への埋め込み部分として伸ばし其の先端に座金ナットを組み込み抜け止めとした。なお、座金ナット１４に変えて同図（ｃ）のように長尺金物の先端をＬ字型に曲げた物でも構わない。
【００２９】
［単層パネル３２］
図１２に示すように、単層パネル３２は多層壁横型構造用パネルであり、柱状材３を横使いとして積み重ね、下側に調整材５を上側に調整材６をそれぞれ組み合わせ、連結用長尺金物１３、座金ナット１４を用いて締め付け固定する。この場合長尺金物１３はパネルの下方より、基礎部への固定部として伸ばし其の先端に座金ナット１４を取り付け、抜け止めとする。一方、同図（ｃ）に示すように、連結用長尺金物１３の埋め込み部の先端をＬ字状に曲げた物をを抜け止めとしても構わない。
【００３０】
［単層パネル３３］
図１３に示すように、単層パネル３３は多層壁縦型構造用であり、柱状材３を縦向きに並べ組み合わせ、連結用長尺金物１３と座金ナット１４を用いて締め付け固定して成るが、パネルの両端の柱状材９は、基礎部への埋め込み部として下方へ伸ばし、更に連結用長尺金物貫通孔１２に座金ナット穴１１を重ねて加工し連結用長尺金物、座金ナットがパネル外に露出しないように締め付け固定してなる。両端の柱状材９を基礎部への埋め込み部としたことで、容易に多層壁構造体を水平に設置することができる。
【００３１】
［単層パネル４０］
図１４に示すように、単層パネル４０は柱状材４を積み重ね連結用長尺金物１３及び座金ナット１４を用い締め付け固定して成る。パネルの両端の柱状材４には、連結用長尺金物貫通孔１１に座金ナット埋め込み穴１２を重ねて設け、単層パネル４０に座金ナット１４及び連結用長尺金物１３を埋め込んである。
【００３２】
［単層パネル４１］
図１５に示すように、単層パネル４１は多層壁構造体を構成する場合構造体の下部へ組み込み上方向に拡張する場合対向するパネルの接続部が揃わないようにずらし、接続を強化する為のものである。単層パネル４０の柱状材４の数量から一本を減じた数の１／２の本数の柱状材４を連結すると共に、下側に調整材７を組み込み、連結用長尺金物１３と座金ナット１４を用いて締め付け固定してなる。パネルの下方へ連結用長尺金物１３を伸ばし其の先端に座金ナット１４を組み付け之を基礎部への埋め込み部としたが、連結用長尺金物の先端をＬ字型に曲げて、座金ナット１４に換えて抜け止としても良い。
【００３３】
［単層パネル４２］
図１６に示すように、単層パネル４２は前記の単層パネル４１の層の最上部に、対向し組み込まれた単層パネルとの段差が生じるためにこれを解消する為の物である。対向する単層パネルの柱状材４の数量より一本を減じた数の１／２の本数の柱状材４を積み重ねその上部に、調整材８を重ね組込み連結用長尺金物１３と座金ナット１４を用いて、締め付け固定してなる。
【００３４】
［単層パネル４３］
図１７に示すように、単層パネル４３は柱状材４を縦使いとし、複数本を連結用長尺金物１３と座金ナット１４を用いて締め付け固定して成るが、パネルの両端の柱状材１０は他の柱状材４よりも、基礎部への埋め込み部分として下方向へ長く伸ばして成る。更にはこの柱状材１０の連結用長尺金物貫通孔１１に座金ナット穴１２を重ねて設け、座金ナット１４を埋め込んである。両端の柱状材１０を基礎部への埋め込み部としたことで、容易に多層壁構造体を水平に設置することができる。
【００３５】
［単層パネル４４，４５］
図１８に示すように、単層パネル４４は多層壁構造体を構築施工時に最上部に生じる、対向し組み込まれた単層パネルとの段差を解消する為のパネルで有り、製作には単層パネル４３の柱状材４の長さの１／２の位置から横に切断して成る上側部分である。同図（ｂ）に示すように、更に残る下側を単層パネル４５とする。
【００３６】
［多層壁（２層）横型構造体５０］
図１９〜２１に示すように、仮設して成る基礎部へ単層パネル３２の柱状材３の小さな面Ｇを続いて対向して組み込むパネル側に向け設置し、続いて単層パネル３１の小さな面Ｇを先に設置したパネル３２の小さな面Ｇに対向させ、横幅方向の中央までずらして基礎部１７に組込み、ネジ釘１５を用いて対向するパネルに固定する。ネジ釘１５の数量は構造体の柱状材の大きさ、構造体の規模により適宜決める。この様に単層パネル３１，３２を互いに対向させ、ずらし、組み合わせを繰り返す事で多層壁（２層）構造体５０の構築を実地する事が出来る。此処での説明は多層壁構造体の高さが、一枚の単層パネルで行える範囲であり上方向への拡張方法は、後述する多層壁構造体の説明の中で明らかに成る。
続いて組み立てられた多層壁（２層）横型構造体５０の最上部に笠木１６を取りつける事で、雨水の壁体内への侵入を抑える事で腐れ等に依る構造体の耐久性の低下を抑える事が出来る。更には対向し組み合わせる単層パネルの対向面に接着剤を塗布する事で、更に強固な接続が可能であるが、接着剤の併用は環境に与える影響、更には壁体がその役割を終え廃材として処理する場合を勘案し、使用する事が望ましい。
【００３７】
［多層壁（３層）横型構造体５１］
図２２〜２４に示すように、仮設して成る基礎１７の上に本多層壁構造５１を設置する場合の厚みの中心に成る位置に、単層パネル４１の連結用長尺金物の先端の基礎埋め込み部分を埋め込み固定し、其の背面に単層パネル３１の端部（巾方向）の一方を先に固定した単層パネル４１の巾方向の中央までズラシ、柱状材の小さな面Ｇを対向させて組み込みネジ釘１５で固定する。こうして単層パネル４１と３１を交互に組み合わせ固定を繰り返し横方向へ拡張を繰り返す事で任意の横方向への拡張を行う事が出来る。続いて上方向の拡張は先に設置した単層パネル４１の上に単層パネル４０を重ね対向する単層パネル３１にネジ釘１５で固定する。更に単層パネル３１の上に単層パネル３０を重ね対向するパネル４０にネジ釘１５で固定する。之を繰り返す事で上方向得への拡張を行う。
【００３８】
最後に単層パネル４０の層の最上段に一方の単層パネル３０との段差が生じるが此処に単層パネル４２を組み込むことで段差を解消する。続いて前面側に単層パネル３１の小さな面Ｇを対向させ背面のパネル３１と同じ位置に設置し対向する単層パネル４１にネジ釘を用いて固定するこれを横方向へ繰り返し任意の位置まで組込み固定する。更に上方向の拡張は背面パネルと同じく単層パネル３０を積み重ね固定しながら拡張を繰り返して多層壁（３層）横型構造体を構成する。更には構造体上部に笠木１６を設置する事で構造体への雨水の浸入を抑え耐久性の低下を抑える為のものとしてもよい。
【００３９】
［多層壁（２層）縦型構造体６０］
図２５〜２７に示すように、仮設して成る基礎１７上に単層パネル３３の柱状材の小さな面Ｇを、次に対向し組込みを行う単層パネルに対向する位置に、基礎部埋め込み部を埋め込み固定する。続いて先に設置した単層パネル３３の横方向の中央に次の単層パネル３３の端部が位置するように小さな面Ｇを対向させ、パネルの下方の基礎埋め込み部を基礎に埋め込み固定すると共に対向するパネルにネジ釘１５を用いて固定する。これを繰り返し横方向に拡張することで多層壁（２層）縦型構造体６０を構築する。更に構造対の最上部に笠木１６を取りつける事で、雨水等の浸入を抑え構造体の腐食等による、耐久性の低下を抑える効果がある。
【００４０】
［多層壁（３層）縦型構造体６１］
図２８〜３０に示すように、仮設して成る基礎上中央に単層パネル４５を設置し、これの背面側に単層パネル３３の小さな面Ｇを対向させ単層パネル４５の横方向の中央に単層パネル３３の端部が位置するように組込み、ネジ釘を用いて固定する。これを横方向の任意の位置まで交合に繰り返し拡張する。続いて高さ方向の拡張は、設置した単層パネル４５の上に単層パネル４０を重ね対向するパネル３３にネジ釘を用いて固定する。続いて背面側単層パネル３３に単層パネル３０を重ね組込みネジ釘１５を用いて固定する。之を上方向に繰り返し、最後に単層パネル４０の層上部に段差が生じるが、此処に単層パネル４４を組み込む事で段差を解消する。之を上方向、横方向に拡張する。更に前面側に単層パネル３３を背面の単層パネル３３と同じ位置に組込み対向する単層パネル４５，４０にネジ釘を用いて固定し、背面同様に組込み固定して多層壁構造体６１を構築する。更に他の多層壁構造体同様上部に笠木を組み込むことで、構造体の耐久性を向上させる効果がある。
【００４１】
［水路遮断壁（分水壁）５２，６２］
また、本発明は、地上に露出、設置してなる防音、遮音壁としての耐久性を高める構造だけで無く、先年（平成１６年１０月）の台風に依る兵庫県円山川の氾濫による堤防の決壊要因の一つとされる、パイピング現象（堤防内部に形成された小さな水路が結合し形成される水路が、増水により其の水圧を伴った水が水路を通して内部の土砂と共に、陸側に排出される事で堤防を崩壊する事）の発生を遮断するための分水壁として図３１，３２に示すように、分水壁を堤防の中央へ本発明の多層壁構造を用いて堤防の形状に沿って台形状の分水壁を構築する事で前述のパイピング現象の発生を押さえ堤防の崩落を防ぐ事が出来る。更に従来の単層壁単独の構造では壁体の規模、木材の痩せによる隙間の発生への不安を残すが、本発明の多層壁構造により、より耐久性と合理的な施工方法を提供する事を実現するに至った。
【００４２】
なお、上記各単層パネルに用いられる柱状材は小径の木材より形成したが、これに限られるものではなく、例えば、より径の大きい木材から複数の柱状材を形成しても構わない。
【産業上の利用可能性】
【００４３】
本発明によれば、塀、柵、土止、防音壁、防風壁、砂防壁、護岸壁又は分水壁として利用することができる。また、これらに限られものではなく、他の様々な建築用構造体としても利用することができる。
【図面の簡単な説明】
【００４４】
【図１】基材である正角材の木取り図である。
【図２】柱状材３の断面加工図である。
【図３】柱状材４の断面加工図である。
【図４】柱状材３の斜視図である。
【図５】柱状材４の斜視図である。
【図６】（ａ）は調整材５の斜視図であり、（ｂ）はその断面図である。
【図７】（ａ）は調整材６の斜視図であり、（ｂ）はその断面図である。
【図８】（ａ）は調整材７の斜視図であり、（ｂ）はその断面図である。
【図９】（ａ）は調整材８の斜視図であり、（ｂ）はその断面図である。
【図１０】（ａ）は単層パネル３０の斜視図であり、（ｂ）はその断面図である。
【図１１】（ａ）は単層パネル３１の斜視図であり、（ｂ）はその断面図、（ｃ）は基礎埋め込み部分の改変例の姿図である。
【図１２】（ａ）は単層パネル３２の斜視図であり、（ｂ）はその断面図であり、（ｃ）は基礎部への埋め込み部の改変例の姿図である。
【図１３】（ａ）は単層パネル３３の平面図であり、（ｂ）はその正面図であり、（ｃ）は側面図である。
【図１４】（ａ）は単層パネル４０の斜視図であり、（ｂ）は（ａ）のａ−ａ断面図である。
【図１５】（ａ）は単層パネル４１の斜視図であり、（ｂ）は（ａ）のａ−ａ断面図であり、（ｃ）は長尺金物の先端をＬ字状に曲げ抜け止めとした場合の姿図である。
【図１６】（ａ）は単層パネル４２の斜視図であり、（ｂ）は（ａ）のａ−ａ断面図である。
【図１７】（ａ）は単層パネル４３の平面図であり、（ｂ）はその正面図、（ｃ）は側面図である、
【図１８】（ａ）は単層パネル４３を二分割した一方を単層パネル４４の正面図、（ｂ）は残る一方を単層パネルの正面図である。
【図１９】（ａ）は多層壁（２層）横型構造５０の平面図であり、（ｂ）はその正面図である。
【図２０】図１９のａ−ａの断面図である。
【図２１】多層壁（２層）横型構造体５０の上部に笠木を取り付けた場合の部分断面図である。
【図２２】（ａ）は多層壁（３層）横型構造体５１の平面図であり、（ｂ）はその正面図である。
【図２３】図２２のａ−ａの断面図である。
【図２４】多層壁（３層）構造体５１の上部に笠木を取り付けた場合の部分断面図である、
【図２５】（ａ）は多層壁（２層）縦型構造体６０の平面図であり、（ｂ）はその正面図である。
【図２６】図２５のａ−ａの断面図である。
【図２７】多層壁（２層）縦型構造体６０の上部へ笠木を取り付けた場合の部分断面図である。
【図２８】（ａ）は多層壁（３層）縦型構造体６１の平面図であり、（ｂ）はその正面図である。
【図２９】図２８のａ−ａの断面図である。
【図３０】多層壁（３層）縦型構造体６１の上部に笠木を取り付けた場合の部分断面図である。
【図３１】横型分水壁の断面図である。
【図３２】柱状材を縦使いとした縦型分水壁の断面図である。
【符号の説明】
【００４５】
Ａ：正角材の角部（第二角部）、Ｂ：正角材の角部（第一角部）、Ｃ：正角材の角部、Ｄ：正角材の角部（第二角部）、Ｆ，Ｇ，Ｈ：面，Ｊ：断線、１：小径丸太（木材）、２：正角材、３，４：柱状材、５，６，７，８：調整材、９、１０：柱状材
１１：貫通孔、１２：座金、ナット穴（凹部）、１３：連結用長尺金物（連結部材）、１４：座金、ナット、（固定具）
１５：ネジ釘、１６：笠木、１７：基礎、１８：土壌、１９：水部、２０：水路、２１：陸部、３０，３１，３２，３３：単層パネル、４０，４１，４２，４３，４４，４５：単層パネル、５０，５１：多層壁横型構造体、５２：分水壁横型多層構造体、６０，６１：多層壁縦型構造体、６２：分水壁縦型多層構造体、
【図１】
2006328940.tif 000003
【図２】
2006328940.tif 000004
【図３】
2006328940.tif 000005
【図４】
2006328940.tif 000006
【図５】
2006328940.tif 000007
【図６】
2006328940.tif 000008
【図７】
2006328940.tif 000009
【図８】
2006328940.tif 000010
【図９】
2006328940.tif 000011
【図１０】
2006328940.tif 000012
【図１１】
2006328940.tif 000013
【図１２】
2006328940.tif 000014
【図１３】
2006328940.tif 000015
【図１４】
2006328940.tif 000016
【図１５】
2006328940.tif 000017
【図１６】
2006328940.tif 000018
【図１７】
2006328940.tif 000019
【図１８】
2006328940.tif 000020
【図１９】
2006328940.tif 000021
【図２０】
2006328940.tif 000022
【図２１】
2006328940.tif 000023
【図２２】
2006328940.tif 000024
【図２３】
2006328940.tif 000025
【図２４】
2006328940.tif 000026
【図２５】
2006328940.tif 000027
【図２６】
2006328940.tif 000028
【図２７】
2006328940.tif 000029
【図２８】
2006328940.tif 000030
【図２９】
2006328940.tif 000031
【図３０】
2006328940.tif 000032
【図３１】
2006328940.tif 000033
【図３２】
2006328940.tif 000034